(57)【要約】      （修正有）【課題】水分高吸収性の紙を主体とした使い捨てに出来る紙製トイレマットを提供する。【解決手段】紙製トイレマットの本体は水分を高吸収する層と水分を吸収しない防水層との重層として、表層２、中間層３は水分高吸収層であり底層４は防水層として水分が床面に接しない様に考慮する。表層２は不織布又は水分高吸収紙とし、中間層３は高吸収ポリマー又は水分高吸収紙で作成する。さらに底層４は、ポリエチレン等の防水シートで構成する。また、床と接する底面には両面接着テープ等を数箇所付ける事で紙製トイレマットがずれたり、捲れたりする事が無いように床面に固定しても良い。【選択図】図２
0003162179.tif 000002
【実用新案登録請求の範囲】
【請求項１】
従来のトイレマットは布製のため、汚れたら洗濯をしなければならないが、本考案のトイレマットは紙製で使い捨てができるため洗濯をする必要がない。
【請求項２】
トイレマットは排尿時の尿などが付着する為他の衣類と洗濯することや同じ洗濯機で洗濯をすることは衛生面で問題がある。
【請求項３】
構造上の一番上層部にある不織布の部分をカラフルにしたり水玉模様、花柄、動物柄、鳥柄、幾何学模様などトイレ内の雰囲気や好みに合わせて色々な模様にする事ができる。
【考案の詳細な説明】
【技術分野】
【０００１】本考案は和式トイレ便器、洋式トイレ便器の足元に水分吸収効果の高い紙製トイレマットを敷く事により、尿やその他の水分を簡単に吸収する事ができ足元の便器周りが濡れる事を防ぐ。紙製で出来ている為、汚れたら簡単に新しい物と取り替える事が出来る。
【背景技術】
【０００２】従来は使い捨ての紙製トイレマットは無かった。
【考案の概要】
【考案が解決しようとする課題】
【０００３】便器の足元に敷くトイレマットは、排尿の際の尿の飛びはね等から足元の便器周囲を保護する効果があるが、そのトイレマットが汚れた場合は洗濯機等で洗う必要があった。その場合、他の洗濯物を洗う洗濯機で汚れたトイレマットを洗う事は衛生面で非情に問題がある。
本考案はこの課題を解消するためになされたものである。
【課題を解決するための手段】便器の足元に水分高吸収性のある紙製トイレマットを敷く事により、尿等の飛びはねを容易に吸収し、便器周囲の床面を汚れや水分から保護することができる。洋式トイレマットの場合は従来の布製のトイレマットと同型で便器周囲をきちんと覆う型とする。
紙は、水分を高吸収する層と水分を吸収しない防水層との重層として、表面は高吸収層、底面は防水層として水分が床面に接しない様に考慮してある。
床と接する底面には両面接着テープ等を数箇所付ける事で紙製トイレマットがずれたり、捲れたりする事が無いように床に固定できる。
【考案の効果】従来の、汚れたトイレマットを洗濯機で洗う手間や洗濯機が不衛生になる心配も無く、汚れた紙製トイレマットを新しい物と取り替える事で簡単に清潔なトイレマットを使用していくことが出来る。
【考案を実施するための形態】
以下、本考案の実施の形態について説明する。
（イ）上層面・不織布
中間層・高吸収ポリマー又は高吸収紙
底層面・防水シート（ポリエチレン製等）
（ロ）底層面の防水シートの裏面（床と接する面）に滑り止めと捲れ防止のために両面接      着テープ等を付けておく。
【符号の説明】  （１）使い捨て紙トイレマット本体
（２）不織布
（３）高吸収ポリマーシート又は高吸収紙
（４）防水シート
【図１】
0003162179.tif 000003
【図２】
0003162179.tif 000004
【手続補正書】
【提出日】平成22年6月4日(2010.6.4)
【手続補正２】
【補正対象書類名】実用新案登録請求の範囲
【補正対象項目名】全文
【補正方法】変更
【補正の内容】
【実用新案登録請求の範囲】
【請求項１】
防水シートである底層面と、高吸収ポリマー又は高吸収紙である中間層と、不織布又は高吸収紙である上層面とからなる層状構造であることを特徴とするトイレマット。
【請求項２】
底層面の防水シートの床と接する面に両面接着テープを設けたことを特徴とする請求項１に記載のトイレマット。
【請求項３】
上層面の不織布又は高吸収紙を、カラフルにしたり水玉模様、花柄、動物柄、鳥柄、幾何学模様などトイレ内の雰囲気や好みに合わせて色々な模様にする事ができるということを特徴とする請求項１に記載のトイレマット。
【手続補正３】
【補正対象書類名】明細書
【補正対象項目名】全文
【補正方法】変更
【補正の内容】
【考案の詳細な説明】
【技術分野】
【０００１】  本考案は和式トイレ便器、洋式トイレ便器の足元に水分吸収効果の高い紙製トイレマットを敷く事により、尿やその他の水分を簡単に吸収することができ、便器周りが濡れたり汚くなる事を防ぐ。紙製で出来ている為、汚れたら簡単に新しく交換することが出来る。
【背景技術】
【０００２】  従来は水分吸収効果の高い使い捨ての紙製トイレマットは無かった。
【考案の概要】
【考案が解決しようとする課題】
【０００３】  便器の足元に敷くトイレマットは、排尿の際の尿の飛びはねや零れ等により便器の周囲がよごれる事から保護する効果があるが、そのトイレマットが汚れた場合は洗濯機等で洗う必要があった。その場合、他の洗濯物を洗う洗濯機で汚れたトイレマットを洗う事は衛生面で非常に問題がある。  本考案はこの課題を解決するためになされたものである。
【課題を解決するための手段】
【０００４】  便器の足元に水分高吸収性のある紙製トイレマットを敷く事により、尿等の飛びはねを容易に吸収し、便器周囲の床面を汚れや水分から保護することができる。  本案の紙製トイレマットの本体は水分を高吸収する層と水分を吸収しない防水層との重層として、表層、中間層は水分高吸収層であり底層は防水層として水分が床面に接しない様に考慮してある。  床と接する底面には両面接着テープ等を数箇所付ける事で紙製トイレマットがずれたり、捲れたりする事が無いように床面に固定できる。
【考案の効果】
【０００５】  従来のような、汚れたトイレマットを洗濯機で洗う手間や洗濯機が不衛生になる心配もなく、汚れた紙製トイレマットを捨てて新しい紙製トイレマットと取り替える事で簡単に清潔なトイレマットを使用していくことができる。
【考案を実施するための形態】
【０００６】  以下、本考案の実施の形態について説明する。（１）上  層  ・  不織布又は水分高吸収紙（２）中間層  ・  高吸収ポリマー又は水分高吸収紙（３）底  層  ・  防水シート（ポリエチレン製等）（４）底層の防水シートの裏面（床と接する面）に滑り止めと捲れ防止のために両面接着テープ等を付けておく事とする。
【図面の簡単な説明】
【０００７】
【図１】使い捨て紙製トイレマットを示す平面図である。
【図２】使い捨て紙製トイレマットの断面図である．
【図３】使い捨て紙製トイレマットの裏面図である。
【図４】使い捨て紙製トイレマットを設置した状態を示す図である。
【符号の説明】
【０００８】（１）ａ  使い捨て紙製トイレマット本体（洋式トイレ用）（１）ｂ  使い捨て紙製トイレマット本体（和式トイレ用）（２）    不織布又は水分高吸収紙（３）    高吸収ポリマーシート又は水分高吸収紙（４）    防水シート（５）    使い捨て紙製トイレマット本体の裏面に設けてある滑り止めと捲れ防止のための両面接着テープ
【手続補正４】
【補正対象書類名】図面
【補正対象項目名】全図
【補正方法】変更
【補正の内容】
【図１】
0003162179.tif 000005
【図２】
0003162179.tif 000006
【図３】
0003162179.tif 000007
【図４】
0003162179.tif 000008